(57)【特許請求の範囲】
【請求項１】
直流電力を発電する発電装置と、
前記発電装置からの前記直流電力を交流電力に変換し、交流の系統電源の複数相に対応する複数の電線が接続された各出力側端子から前記各電線に出力するインバータと、
前記各電線にそれぞれ設けられる開閉器であって、前記系統電源と前記インバータとの間に配設されている常開型の開閉器と、
前記各電線の前記系統電源の電圧を検出する系統電圧検出回路と、
前記系統電圧検出回路によって検出された前記系統電源の電圧が入力される制御装置と、を備え、
前記制御装置は、
第一基準電圧が入力されるとともに、前記系統電圧検出回路からの第一検出回路出力が入力される第一Ａ／Ｄ変換部と、
第二基準電圧が入力されるとともに、前記系統電圧検出回路からの第二検出回路出力が入力される第二Ａ／Ｄ変換部と、
前記第一Ａ／Ｄ変換部からの第一Ａ／Ｄ出力値および前記第二Ａ／Ｄ変換部からの第二Ａ／Ｄ出力値を入力して比較する比較部と、
前記比較部から入力した比較結果に基づいて前記系統電源の電圧の検出精度の判定を行う検出精度判定部と、を備え、
前記系統電圧検出回路は、各電線の電圧を検出する複数の検出部および加算部を備え、
前記検出部の各入力端子は前記各電線のうち２つの電線に接続されるとともに、前記検出部の各出力端子は前記第一Ａ／Ｄ変換部に接続され、
前記加算部の入力端子は前記検出部の各出力端子に接続されるとともに、前記加算部の出力端子は前記第二Ａ／Ｄ変換部に接続されている分散型電源システム。
【請求項２】
前記第一基準電圧を生成して前記第一Ａ／Ｄ変換部に供給するとともに、前記第二基準電圧を生成して前記第二Ａ／Ｄ変換部に供給する基準電圧供給部をさらに備えている請求項１記載の分散型電源システム。
【発明の詳細な説明】
【技術分野】
【０００１】
本発明は、分散型電源システムに関する。
【背景技術】
【０００２】
分散型電源システムの一形式として、特許文献１に示されているものが知られている。特許文献１の図２に示されているように、分散型電源システム（系統連系インバータシステム）の保護制御回路２４は、電力線から取り込まれる交流電力をデジタル信号に変換するＡ／Ｄコンバータ３１と、Ａ／Ｄコンバータ３１により生成されるデジタル信号としきい値との比較を通じて交流電力の異常の有無を判定するＰＬＤ３２とを備えている。ＰＬＤ３２は、Ａ／Ｄコンバータ３１に取り込まれる既知の基準電圧のＡ／Ｄ変換後の値に基づき、Ａ／Ｄコンバータ３１の異常を検出する機能を有している。
【先行技術文献】
【特許文献】
【０００３】
【特許文献１】特開２０１３−２１２０２６号公報
【発明の概要】
【発明が解決しようとする課題】
【０００４】
上述した特許文献１に記載されている保護制御回路２４においては、基準電圧が異常により変動した場合、系統電源の電圧の検出精度が悪化するおそれがある。この場合、系統電源の電圧の検出精度の悪化を検出したいという要請があった。
【０００５】
本発明は、上述した問題を解消するためになされたもので、分散型電源システムにおいて、系統電源の電圧の検出精度悪化の検出をすることを目的とする。
【課題を解決するための手段】
【０００６】
上記の課題を解決するため、請求項１に係る分散型電源システムの発明は、直流電力を発電する発電装置と、発電装置からの直流電力を交流電力に変換し、交流の系統電源の複数相に対応する複数の電線が接続された各出力側端子から各電線に出力するインバータと、各電線にそれぞれ設けられる開閉器であって、系統電源とインバータとの間に配設されている常開型の開閉器と、各電線の系統電源の電圧を検出する系統電圧検出回路と、系統電圧検出回路によって検出された系統電源電圧が入力される制御装置と、を備え、制御装置は、第一基準電圧が入力されるとともに、系統電圧検出回路からの第一検出回路出力が入力される第一Ａ／Ｄ変換部と、第二基準電圧が入力されるとともに、系統電圧検出回路からの第二検出回路出力が入力される第二Ａ／Ｄ変換部と、第一Ａ／Ｄ変換部からの第一Ａ／Ｄ出力値および第二Ａ／Ｄ変換部からの第二Ａ／Ｄ出力値を入力して比較する比較部と、比較部から入力した比較結果に基づいて系統電源電圧の検出精度の判定を行う検出精度判定部と、を備えている。
【０００７】
これによれば、系統電源電圧の検出は２つの独立した系統により行うことができる。すなわち、一方の系統は、第一基準電圧が入力されている第一Ａ／Ｄ変換部が、系統電圧検出回路からの第一検出回路出力を入力することにより、系統電源電圧の検出を行う系統である。もう一方の系統は、第二基準電圧が入力されている第二Ａ／Ｄ変換部が、系統電圧検出回路からの第二検出回路出力を入力することにより、系統電源電圧の検出を行う系統である。このような構成にすることにより、比較部は、第一Ａ／Ｄ変換部からの第一Ａ／Ｄ出力値および第二Ａ／Ｄ変換部からの第二Ａ／Ｄ出力値を入力して比較する。検出精度判定部は、比較部から入力した比較結果に基づいて系統電源電圧の検出精度の判定を行うことができる。よって、制御装置は、系統電源電圧の検出精度悪化の検出を確実に行うことができる。
【０００８】
また請求項１に係る分散型電源システムにおいて、系統電圧検出回路は、各電線の電圧を検出する複数の検出部および加算部を備え、検出部の各入力端子は各電線のうち２つの電線に接続されるとともに、検出部の各出力端子は第一Ａ／Ｄ変換部に接続され、加算部の入力端子は検出部の各出力端子に接続されるとともに、加算部の出力端子は第二Ａ／Ｄ変換部に接続されている。
これによれば、簡単な構成により、系統電圧検出回路の出力が少なくとも二系統となる構成とすることができるとともに、第二Ａ／Ｄ変換部の制御負担を軽減することができる。
【０００９】
また請求項２に係る発明は、請求項１に係る分散型電源システムにおいて、第一基準電圧を生成して第一Ａ／Ｄ変換部に供給するとともに、第二基準電圧を生成して第二Ａ／Ｄ変換部に供給する基準電圧供給部をさらに備えている。
これによれば、第一Ａ／Ｄ変換部に供給する第一基準電圧と、第二Ａ／Ｄ変換部に供給する第二基準電圧と、を独立して供給することが可能となる。よって、片方の基準電圧が異常となり、第一Ａ／Ｄ変換部の出力値と第二Ａ／Ｄ変換部の出力値と間にズレが生じることにより、系統電源電圧の検出精度悪化した場合、その系統電源電圧の検出精度悪化の検出を確実に行うことができる。
【図面の簡単な説明】
【００１０】
【図１】本発明による分散型電源システムの一実施形態の概要を示す概要図である。
【図２】図１に示す制御装置および系統電源検出回路の詳細を示す図である。
【発明を実施するための形態】
【００１１】
以下、本発明による分散型電源システムの一実施形態について説明する。図１に示すように、分散型電源システム１０は、発電装置である燃料電池１１、コンバータ１２、インバータ１３、平滑回路１４、解列リレー１５および制御装置１６を備えている。
【００１２】
燃料電池１１は、直流電力を発電する発電装置である。発電装置は、燃料電池１１以外の直流電力を発電する発電装置（例えば、太陽光電池、ガスエンジンなど）でもよい。
コンバータ１２は、燃料電池１１からの直流電力を昇圧してインバータ１３に出力する。コンバータ１２は、図示しないリアクトル、ＩＧＢＴ（絶縁ゲートバイポーラトランジスタ）のようなスイッチング素子、ダイオード、コンデンサなどにより構成されている。コンバータ１２の入力側端子１２ａは、燃料電池１１の正極側に接続され、コンバータ１２の入力側端子１２ｂは、燃料電池１１の負極側に接続されている。
【００１３】
コンバータ１２の出力側端子１２ｃは、電線１７を介してインバータ１３の入力側端子１３ａに接続されている。コンバータ１２の出力側端子１２ｄは、電線１８を介してインバータ１３の入力側端子１３ｂに接続されている。図示しない電圧センサ３１の検出信号が制御装置１６に入力されており、制御装置１６は、演算処理を行って決定したデューティ比のパルス信号をスイッチング素子のゲートに与えることにより、コンバータ１２の出力電圧が所定の電圧になるフィードバック制御を行っている。電線１７と電線１８との間には、コンデンサ１９が設けられている。
【００１４】
インバータ１３は、コンバータ１２すなわち燃料電池１１からの直流電力を交流電力に変換して、系統電源２０側に出力する。インバータ１３は、入力側端子１３ａ，１３ｂおよび出力側端子１３ｃ，１３ｄを備えている。インバータ１３の出力側端子１３ｃは、系統電源２０（例えば、Ｕ相）が接続された電線２１に接続されている。インバータ１３の出力側端子１３ｄは、系統電源２０（例えば、Ｖ相）が接続された電線２２に接続されている。各出力側端子１３ｃ，１３ｄは、系統電源２０の複数相に対応する複数の電線２１，２２がそれぞれ接続されている。
【００１５】
インバータ１３は、ＩＧＢＴのような第一〜第四スイッチング素子１３ｅ〜１３ｈをフルブリッジ接続して構成される。第一および第二スイッチング素子１３ｅ，１３ｆは、入力側端子１３ａと入力側端子１３ｂとの間に直列に接続されている。第一スイッチング素子１３ｅと第二スイッチング素子１３ｆとの接続点は、出力側端子１３ｃに接続されている。第三および第四スイッチング素子１３ｇ，１３ｈは、入力側端子１３ａと入力側端子１３ｂとの間に直列に接続されている。第三および第四スイッチング素子１３ｇ，１３ｈは、第一および第二スイッチング素子１３ｅ，１３ｆに対して並列に接続されている。第三スイッチング素子１３ｇと第四スイッチング素子１３ｈとの接続点は、出力側端子１３ｄに接続されている。
【００１６】
インバータ１３は、制御装置１６によってその動作が制御されている。具体的には、インバータ１３は、制御装置１６からのＰＷＭ制御にしたがって各第一〜第四スイッチング素子１３ｅ〜１３ｈをスイッチングして、コンバータ１２からの直流電力を交流電力に変換するものである。このように、インバータ１３は、変換した交流電力を電線２１，２２に出力する。
【００１７】
平滑回路１４は、リアクトル１４ａ，１４ｂとコンデンサ１４ｃとによって構成されている。リアクトル１４ａ，１４ｂは、各電線２１，２２にそれぞれ設けられている。コンデンサ１４ｃは、リアクトル１４ａ，１４ｂと系統電源２０との間にて各電線２１，２２のうち２つの電線を接続する接続電線２３に設けられている。平滑回路１４は、インバータ１３から出力された交流電力の高周波成分を取り除いて、インバータ１３の出力電圧を正弦波状の波形にし、系統電源２０に出力する。
【００１８】
解列リレー（系統連系用リレー）１５は、第一解列リレー１５ａおよび第二解列リレー１５ｂによって構成されている。解列リレー１５は、各電線２１，２２にそれぞれ設けられる開閉器であって、接続電線２３との接続点と系統電源２０との間に配設されている常開型の開閉器である。第一解列リレー１５ａおよび第二解列リレー１５ｂはそれぞれ制御装置１６からの制御信号によってその動作（接続状態／開放状態）が制御されている。
【００１９】
具体的には、複数の電線２１，２２のうち一方の電線２１に第一解列リレー１５ａが配置され、他方の電線２２に第二解列リレー１５ｂが配置されている。第一解列リレー１５ａおよび第二解列リレー１５ｂが接続状態になると、分散型電源システム１０すなわち燃料電池１１と系統電源２０は連系され、第一解列リレー１５ａおよび第二解列リレー１５ｂが開放状態になると、分散型電源システム１０すなわち燃料電池１１と系統電源２０は解列されることになる。このように、解列リレー１５が制御装置１６によって制御されることで、分散型電源システム１０すなわち燃料電池１１と系統電源２０は連系または解列され、電力供給が制御されている。
【００２０】
電線２１，２２には、系統電圧を検出する系統電圧検出回路３１が接続されている。系統電圧検出回路３１の検出信号が制御装置１６に入力されている。具体的には、系統電圧検出回路３１は、図２に示すように、２つのトランス３１ａ，３１ｂ（検出部）および加算回路３１ｃ（加算部）を備えている。トランス３１ａ，３１ｂは、各電線２１，２２の電圧をそれぞれ検出するものである。
【００２１】
第一トランス３１ａの一次側端子である入力端子３１ａ１，３１ａ２は、電線２１および電線２４に接続されている。なお電線２４は、系統電源２０のＮ相が接続されている。第一トランス３１ａの二次側端子である出力端子３１ａ３は、第一Ａ／Ｄ変換部１６ａの第一入力端に接続されている。第一トランス３１ａの二次側端子である出力端子３１ａ４は接地されている。第一トランス３１ａの出力端子３１ａ３と出力端子３１ａ４との間には、抵抗３１ｄが直列に接続されている。
【００２２】
第二トランス３１ｂの一次側端子である入力端子３１ｂ１，３１ｂ２は、電線２２および電線２４に接続されている。第二トランス３１ｂの二次側端子である出力端子３１ｂ３は、第一Ａ／Ｄ変換部１６ａの第二入力端に接続されている。第二トランス３１ｂの二次側端子である出力端子３１ｂ４は、接地されるとともに、第一トランス３１ａの出力端子３１ａ４に接続されている。第二トランス３１ｂの出力端子３１ｂ３と出力端子３１ｂ４との間には、抵抗３１ｅが直列に接続されている。
【００２３】
加算回路３１ｃは、一般的に知られている加算回路であり、２つ以上の入力電圧の和を出力する回路である。具体的には、加算回路３１ｃは、オペアンプ３１ｃ１、フィードバック抵抗３１ｃ２、第一入力抵抗３１ｃ３および第二入力抵抗３１ｃ４を備えている。オペアンプ３１ｃ１のプラス端子は接地され、オペアンプ３１ｃ１のマイナス端子は、第一入力抵抗３１ｃ３および第二入力抵抗３１ｃ４の一端が接続されている。第一入力抵抗３１ｃ３の他端は、第一入力端子３１ｃ５を介して第一トランス３１ａの出力端子３１ａ３に接続されている。第二入力抵抗３１ｃ４の他端は、第二入力端子３１ｃ６を介して第二トランス３１ｂの出力端子３１ｂ３に接続されている。オペアンプ３１ｃ１の出力端子は、出力端子３１ｃ７を介して第二Ａ／Ｄ変換部１６ｂの入力端に接続されている。オペアンプ３１ｃ１のマイナス端子と出力端子との間には、フィードバック抵抗３１ｃ２が直列に接続されている。
【００２４】
このように、第一トランス３１ａからの出力、すなわち第一トランス３１ａの出力端子３１ａ３から出力される電圧、および第二トランス３１ｂからの出力、すなわち第二トランス３１ｂの出力端子３１ｂ４から出力される電圧が、系統電圧検出回路３１からの第一検出回路出力である。また、加算回路３１ｃから出力される電圧が、系統電圧検出回路３１からの第二検出回路出力である。
【００２５】
分散型電源システムは、図１に示すように、基準電圧供給回路４１（基準電圧供給部）を備えている。基準電圧供給回路４１は、第一基準電圧Ｖｒｅｆ１を生成して第一Ａ／Ｄ変換部１６ａに供給するとともに、第二基準電圧Ｖｒｅｆ２を生成して第二Ａ／Ｄ変換部１６ｂに供給する。具体的には、基準電圧供給回路４１は、図１に示すように、燃料電池１１からの直流電圧をＤＣ／ＤＣコンバータ４２によって変圧（降圧）して入力し、変圧（降圧）した複数の直流電圧を制御装置１６に供給する。基準電圧供給回路４１は、トランス４１ａにより構成されている。トランス４１ａの一次側には、ＤＣ／ＤＣコンバータ４２の出力電圧Ｖｉｎが入力されている。トランス４１ａの二次側からは、複数の直流電圧が制御装置１６に出力されている。出力電圧には、第一基準電圧Ｖｒｅｆ１および第二基準電圧Ｖｒｅｆ２が含まれている。第一基準電圧Ｖｒｅｆ１は第一Ａ／Ｄ変換部１６ａに供給され、第二基準電圧Ｖｒｅｆ２は第二Ａ／Ｄ変換部１６ｂに供給されている。また、出力電圧には、例えば１２Ｖの出力電圧Ｖｏｕｔが含まれている。
なお、第一基準電圧Ｖｒｅｆ１および第二基準電圧Ｖｒｅｆ２は、異なる巻き線で生成されているが、同一の巻き線で生成するようにしてもよい。
【００２６】
制御装置１６は、解列リレー１５の開閉を少なくとも制御する。制御装置１６は、マイクロコンピュータ（図示省略）を有しており、マイクロコンピュータは、バスを介してそれぞれ接続された入出力インターフェース、ＣＰＵ、ＲＡＭおよびＲＯＭ（いずれも図示省略）を備えている。ＣＰＵは、系統電圧検出回路３１の検出結果を取得したり、コンバータ１２、インバータ１３を制御したり、解列リレー１５を開閉制御したりする。ＲＡＭは同プログラムの実行に必要な変数を一時的に記憶するものであり、ＲＯＭは前記プログラムを記憶するものである。
【００２７】
制御装置１６は、第一Ａ／Ｄ変換部１６ａ、第二Ａ／Ｄ変換部１６ｂ、比較部１６ｃおよび検出精度判定部１６ｄを備えている。第一Ａ／Ｄ変換部１６ａは、第一基準電圧Ｖｒｅｆ１が入力されるとともに、系統電圧検出回路３１からの第一検出回路出力が入力される。第一Ａ／Ｄ変換部１６ａは、第一検出回路出力である、第一トランス３１ａの出力電圧および第二トランス３１ｂの出力電圧をＡ／Ｄ変換処理し、加算して第一Ａ／Ｄ出力値（例えばＤＣ２００Ｖ）として比較部１６ｃに出力する。
第二Ａ／Ｄ変換部１６ｂは、第二基準電圧Ｖｒｅｆ２が入力されるとともに、系統電圧検出回路３１からの第二検出回路出力が入力される。第二Ａ／Ｄ変換部１６ｂは、第二検出回路出力である、加算回路３１ｃ（オペアンプ３１ｃ１）の出力電圧をＡ／Ｄ変換処理して第二Ａ／Ｄ出力値（例えばＤＣ２００Ｖ）として比較部１６ｃに出力する。
【００２８】
比較部１６ｃは、第一Ａ／Ｄ変換部１６ａからの第一Ａ／Ｄ出力値および第二Ａ／Ｄ変換部１６ｂからの第二Ａ／Ｄ出力値を入力して比較する。比較部１６ｃにおいては、第一Ａ／Ｄ出力値と第二Ａ／Ｄ出力値との差を算出したり、第一Ａ／Ｄ出力値を第二Ａ／Ｄ出力値で除算したりすることにより、第一Ａ／Ｄ出力値と第二Ａ／Ｄ出力値とを比較している。
【００２９】
検出精度判定部１６ｄは、比較部１６ｃから入力した比較結果に基づいて系統電源電圧の検出精度の判定を行う。検出精度判定部１６ｄにおける系統電源電圧の検出精度の判定について詳述する。
第一基準電圧Ｖｒｅｆ１および第二基準電圧Ｖｒｅｆ２が正常であり（第一基準電圧Ｖｒｅｆ１および第二基準電圧Ｖｒｅｆ２が所定の基準電圧である場合）、かつ、第一Ａ／Ｄ変換部１６ａおよび第二Ａ／Ｄ変換部１６ｂに同じ電圧が入力された場合には、第一Ａ／Ｄ変換部１６ａからの第一Ａ／Ｄ出力値、および第二Ａ／Ｄ変換部１６ａからの第二Ａ／Ｄ出力値は同じ値が出力される。よって、比較部１６ｃにおける比較結果は、第一Ａ／Ｄ出力値と第二Ａ／Ｄ出力値とは同じであるという結果（例えば第一Ａ／Ｄ出力値と第二Ａ／Ｄ出力値との差が所定範囲内である）である。検出精度判定部１６ｄは、比較部１６ｃからの比較結果に基づいて系統電源電圧の検出精度がよい（検出精度は良である）との判定を行う。
【００３０】
一方、例えば、第一基準電圧Ｖｒｅｆ１は正常であるが、第二基準電圧Ｖｒｅｆ２が所定の基準電圧より小さくなった場合、第一Ａ／Ｄ変換部１６ａおよび第二Ａ／Ｄ変換部１６ｂに同じ電圧が入力された場合には、第一Ａ／Ｄ変換部１６ａからの第一Ａ／Ｄ出力値は正しい値であるが、第二Ａ／Ｄ変換部１６ａからの第二Ａ／Ｄ出力値は正しい値より小さい値となる。このように、第一基準電圧Ｖｒｅｆ１および第二基準電圧Ｖｒｅｆ２が正常範囲内でばらついた場合、同じ値が入力されている第一Ａ／Ｄ変換部１６ａおよび第二Ａ／Ｄ変換部１６ｂの出力値がばらつく。よって、比較部１６ｃにおける比較結果は、第一Ａ／Ｄ出力値と第二Ａ／Ｄ出力値とは異なるという結果（例えば第一Ａ／Ｄ出力値と第二Ａ／Ｄ出力値との差が所定範囲外である）となる。検出精度判定部１６ｄは、比較部１６ｃからの比較結果に基づいて系統電源電圧の検出精度がよくないとの判定を行う。
【００３１】
また、第一トランス３１ａおよび第二トランス３１ｂは、正常時には第一トランス３１ａおよび第二トランス３１ｂの出力が略同一（例えばＤＣ１００Ｖ）である。第一トランス３１ａおよび第二トランス３１ｂの出力がずれた場合、第一Ａ／Ｄ変換部１６ａおよび第二Ａ／Ｄ変換部１６ｂに入力される第一トランス３１ａおよび第二トランス３１ｂからの各電圧にずれが生じる。このとき、第一基準電圧Ｖｒｅｆ１および第二基準電圧Ｖｒｅｆ２が同じ値であれば、第一Ａ／Ｄ変換部１６ａおよび第二Ａ／Ｄ変換部１６ｂの出力値に、ばらつき（ずれ）が発生する。このように、第一基準電圧Ｖｒｅｆ１および第二基準電圧Ｖｒｅｆ２が同じ値であっても、第一Ａ／Ｄ変換部１６ａおよび第二Ａ／Ｄ変換部１６ｂの出力値にばらつきが発生する。よって、比較部１６ｃにおける比較結果は、第一Ａ／Ｄ出力値と第二Ａ／Ｄ出力値とは異なるという結果（例えば第一Ａ／Ｄ出力値と第二Ａ／Ｄ出力値との差が所定範囲外である）となる。検出精度判定部１６ｄは、比較部１６ｃからの比較結果に基づいて系統電源電圧の検出精度がよくないとの判定を行う。
なお、この場合、制御装置１６は、系統電圧検出回路３１が異常であるとして、系統電源２０への電力供給を停止するように制御してもよい。例えば、解列リレー１５を開状態とすればよい。
【００３２】
さらに、第一基準電圧Ｖｒｅｆ１および第二基準電圧Ｖｒｅｆ２は同じ値であり、第一Ａ／Ｄ変換部１６ａおよび第二Ａ／Ｄ変換部１６ｂに同じ電圧が入力されている場合であっても、第一Ａ／Ｄ変換部１６ａおよび第二Ａ／Ｄ変換部１６ｂの故障に起因して、第一Ａ／Ｄ変換部１６ａおよび第二Ａ／Ｄ変換部１６ｂの出力値にずれが発生する場合がある。この場合も、比較部１６ｃにおける比較結果は、第一Ａ／Ｄ出力値と第二Ａ／Ｄ出力値とは異なるという結果（例えば第一Ａ／Ｄ出力値と第二Ａ／Ｄ出力値との差が所定範囲外である）となる。検出精度判定部１６ｄは、比較部１６ｃからの比較結果に基づいて系統電源電圧の検出精度がよくないとの判定を行う。
【００３３】
上述した説明から明らかなように、本実施形態による分散型電源システム１０は、直流電力を発電する燃料電池１１（発電装置）と、燃料電池１１からの直流電力を交流電力に変換し、交流の系統電源２０の複数相に対応する複数の電線２１，２２が接続された各出力側端子１３ｃ，１３ｄから各電線２１，２２に出力するインバータ１３と、各電線２１，２２にそれぞれ設けられる解列リレー１５（開閉器）であって、系統電源２０とインバータ１３との間に配設されている常開型の解列リレー１５と、各電線２１，２２の系統電源２０の電圧を検出する系統電圧検出回路３１と、系統電圧検出回路３１によって検出された系統電源電圧が入力される制御装置１６と、を備えている。制御装置１６は、第一基準電圧Ｖｒｅｆ１が入力されるとともに、系統電圧検出回路３１からの第一検出回路出力が入力される第一Ａ／Ｄ変換部１６ａと、第二基準電圧Ｖｒｅｆ２が入力されるとともに、系統電圧検出回路３１からの第二検出回路出力が入力される第二Ａ／Ｄ変換部１６ｂと、第一Ａ／Ｄ変換部１６ａからの第一Ａ／Ｄ出力値および第二Ａ／Ｄ変換部１６ｂからの第二Ａ／Ｄ出力値を入力して比較する比較部１６ｃと、比較部１６ｃから入力した比較結果に基づいて系統電源電圧の検出精度の判定を行う検出精度判定部１６ｄと、を備えている。
【００３４】
これによれば、系統電源電圧の検出は２つの独立した系統により行うことができる。すなわち、一方の系統は、第一基準電圧Ｖｒｅｆ１が入力されている第一Ａ／Ｄ変換部１６ａが、系統電圧検出回路３１からの第一検出回路出力を入力することにより、系統電源電圧の検出を行う系統である。もう一方の系統は、第二基準電圧Ｖｒｅｆ２が入力されている第二Ａ／Ｄ変換部１６ｂが、系統電圧検出回路３１からの第二検出回路出力を入力することにより、系統電源電圧の検出を行う系統である。このような構成にすることにより、比較部１６ｃは、第一Ａ／Ｄ変換部１６ａからの第一Ａ／Ｄ出力値および第二Ａ／Ｄ変換部１６ｂからの第二Ａ／Ｄ出力値を入力して比較する。検出精度判定部１６ｄは、比較部１６ｃから入力した比較結果に基づいて系統電源電圧の検出精度の判定を行うことができる。よって、制御装置１６は、系統電源電圧の検出精度悪化の検出を確実に行うことができる。ひいては、分散型電源システムを精度よく運転することができる。
【００３５】
また、系統電圧検出回路３１は、２つのトランス３１ａ，３１ｂ（検出部）および加算回路３１ｃ（加算部）を備え、トランス３１ａ，３１ｂの各入力端子３１ａ１，３１ａ２、３１ｂ１，３１ｂ２は各電線のうち２つの電線２１，２２に接続されるとともに、トランス３１ａ，３１ｂの各出力端子３１ａ３，３１ｂ３は第一Ａ／Ｄ変換部１６ａに接続され、加算回路３１ｃの入力端子３１ｃ５，３１ｃ６はトランス３１ａ，３１ｂの各出力端子３１ａ３，３１ｂ３にそれぞれ接続されるとともに、加算回路３１ｃの出力端子３１ｃ７は第二Ａ／Ｄ変換部１６ｂに接続されている。
これによれば、簡単な構成により、系統電圧検出回路３１の出力が少なくとも二系統となる構成とすることができるとともに、第二Ａ／Ｄ変換部１６ｂの制御負担を軽減することができる。
【００３６】
また、分散型電源システム１０は、第一基準電圧Ｖｒｅｆ１を生成して第一Ａ／Ｄ変換部１６ａに供給するとともに、第二基準電圧Ｖｒｅｆ２を生成して第二Ａ／Ｄ変換部１６ｂに供給する基準電圧供給回路４１（基準電圧供給部）をさらに備えている。
これによれば、第一Ａ／Ｄ変換部１６ａに供給する第一基準電圧Ｖｒｅｆ１と、第二Ａ／Ｄ変換部１６ｂに供給する第二基準電圧Ｖｒｅｆ２と、を独立して供給することが可能となる。よって、片方の基準電圧が異常となり、第一Ａ／Ｄ変換部１６ａの出力値と第二Ａ／Ｄ変換部１６ｂの出力値と間にズレが生じることにより、系統電源電圧の検出精度悪化した場合、その系統電源電圧の検出精度悪化の検出を確実に行うことができる。
【００３７】
なお、上述した実施形態においては、単相３線式の回路構成であったが、３相３線式の回路構成にも本発明は適用可能であり、４線式の回路構成にも適用可能である。
また、上述した実施形態において、検出部はトランス３１ａ，３１ｂで構成したが、これに限られない。
【符号の説明】
【００３８】
１０…系統連系装置、１１…燃料電池（発電装置）、１２…コンバータ、１３…インバータ、１４…平滑回路、１４ａ，１４ｂ…リアクトル、１４ｃ…コンデンサ、１５…解列リレー（開閉器）、１６…制御装置、１６ａ…第一Ａ／Ｄ変換部、１６ｂ…第二Ａ／Ｄ変換部、１６ｃ…比較部、１６ｄ…検出精度判定部、３１…系統電圧検出回路、３１ａ…第一トランス（検出部）、３１ｂ…第二トランス（検出部）、３１ｃ…加算回路（加算部）、４１…基準電圧供給回路（基準電圧供給部）、４２…ＤＣ／ＤＣコンバータ。
【図１】
0006365012.tif 000002
【図２】
0006365012.tif 000003